(57)【要約】【課題】太さの異なるダーツをスムーズ、且つ安定して垂直にターゲット上に保持する。【解決手段】ターゲットセグメント上にターゲットチップを保持するための柱状体５１を設桁構造において、柱状体５１に少なくとも一つの凹縁５１１を設置し、その凹縁５１１により弾性チップ溝５２１を形成する。柱状体５１を具有するターゲットセグメントの後端基部には軟質体からなるダーツキャッチャーを設けてダーツチップを保持する。また、ターゲットセグメントを収納する枠の頂端にも円錐形状の柱状体を設けて、ターゲットセグメントに誘導し、その損傷を防止する。【選択図】図９
2004325066.tif 000002
【特許請求の範囲】
【請求項１】
ソフトダーツ及び金属ダーツに使用するダーツボードの構造において、
ダーツボードを構成するターゲットセグメントには複数の柱状体を設け、
これらの柱状体底部側面にはチップ孔を設け、
柱状体側面に囲まれて形成された弾性チップ溝によりダーツチップがガイドされて該チップ孔に導入されて挟持される、
ことを特徴とするソフトダーツ及び金属ダーツに使用するダーツボードの構造。
【請求項２】
前記弾性チップ溝がそれぞれの柱状体側面に形成された凹縁により構成される
ことを特徴とする請求項１に記載のソフトダーツ及び金属ダーツに使用するダーツボードの構造。
【請求項３】
複数の柱状体と柱状体の間にはこれらを連結する支持片が設けられていることを特徴とする請求項1に記載のソフトダーツ及び金属ダーツに使用するダーツボードの構造。
【請求項４】
ターゲットセグメントの底端面には感圧突起が設けられており、それが導電センサスイッチに触れることにより計数動作することを特徴とする請求項1に記載のソフトダーツ及び金属ダーツに使用するダーツボードの構造。
【請求項５】
ソフトダーツ及び金属ダーツに使用するダーツボードの構造であって、
ダーツボードを構成するターゲットセグメントには複数の柱状体を設け、
これらの柱状体底部側面にはチップ孔を設け、
柱状体側面に囲まれて形成された弾性チップ溝によりダーツチップがガイドされて該チップ孔に導入されると共に、
該ターゲットセグメントの後端面にはダーツキャッチャーが設けられており、該ダーツキャッチャーによりダーツチップが挿入、保持されることにより、ダーツチップの保持力を強化してなることを特徴とするソフトダーツ及び金属ダーツに使用するダーツボードの構造。
【請求項６】
前記ダーツキャッチャーは、ダーツキャッチャー孔を成形することによりダーツチップを直接挟止することができることを特徴とする請求項５に記載のソフトダーツ及び金属ダーツに使用するダーツボードの構造。
【請求項７】
柱状体を具有するターゲットセグメントの後端面には挿入柱が設けられており、前記挿入柱はダーツキャッチャーに設けられた凹溝に挿入することにより、二者を一体に固定するものであることを特徴とする請求項５に記載のソフトダーツ及び金属ダーツに使用するダーツボードの構造。
【請求項８】
柱状体を具有するターゲットセグメントの後端面には挿入柱が設けられており、前記挿入柱はダーツキャッチャーとその後端面側に設けられたターゲットセグメント支持座を貫通して、三者を一体に固定するものであることを特徴とする請求項５に記載のソフトダーツ及び金属ダーツに使用するダーツボードの構造。
【請求項９】
前記ダーツキャッチャーはターゲットセグメント後端面側の凹型槽内に設けられていることを特徴とする請求項5に記載のソフトダーツ及び金属ダーツに使用するダーツボードの構造。
【請求項１０】
ダーツキャッチャーの底端面には感圧突起が設けられており、それが導電センサスイッチに触れることによりカウントすることを特徴とする請求項５に記載のソフトダーツ及び金属ダーツに使用するダーツボードの構造。
【請求項１１】
ターゲットセグメント支持座の底端には感圧突起が設けられており、それが導電センサスイッチに触れることによりカウントすることを特徴とする請求項８に記載のソフトダーツ及び金属ダーツに使用するダーツボードの構造。
【請求項１２】
ターゲットセグメントは枠にたいしてお互いに組み合わされて固定されることによりターゲットセグメントは固定され滑動することなく金属チップとソフトチップを導入することができ、さらにダーツキャッチャーに挿入、固定することを特徴とする請求項５に記載のソフトダーツ及び金属ダーツに使用するダーツボードの構造。
【請求項１３】
前記枠の表面には柱状体が設けられており、それによりダーツチップをターゲット範囲内に導入、滑入することを特徴とする請求項１２記載のソフトダーツ及び金属ダーツに使用するダーツボードの構造。
【発明の詳細な説明】
【技術分野】
【０００１】
ソフトダーツ及び金属ダーツに使用するダーツボードの構造に係り、特に、太さの異なるダーツをスムーズに、且つしっかりと挟持し、ダーツチップを安定的に垂直にターゲット上に挿す技術に関わる。
【背景技術】
【０００２】
現在、電子式ダーツボードのターゲットは構造上不十分であり、具体的に説明すると、
１  投射されたダーツを挟持する公知構造のダーツボード内の柱状体の底端はすべて平板状であり、ダーツチップが細すぎたり、投射力が弱すぎたりした場合、柱状体がダーツチップを挟持し、接触する面積は非常に小さく、またダーツチップが柱状体の底端に当ったとき、すぐにターゲット外に弾かれてしまい、ひどいときにはダーツチップが折れて落下してしまい、柱状体は挟持する効果を全く発揮することができない。
２  公知構造の柱状体を具有するターゲットの柱状体の構造は、円柱状であり、ダーツチップは円柱によって挟持されて保持されるが、柱状体の円柱がダーツを挟持し、接触する面積は非常に小さく、そのためにダーツチップがこれらの挟持間隔に進入したとき、柱状体は円柱状の外表面の特性とダーツチップの反発によって、ダーツチップをスムーズに挟止することができない。このとき、ダーツチップは有効にしっかりと挟止されることができないために、ターゲット外に弾かれてしまう。このダーツチップが弾かれてしまう確率は非常に高く、ダーツチップをしょっちゅう交換しなくてはいけないことになってしまい、そのことが公知構造の柱状体ターゲットが国際市場において普及できない主な原因でもある。
３  公知構造の硬質のダーツチップ或いは金属ダーツチップが軟質体のターゲット面を具有するターゲットセグメントに命中したとき、ターゲット面は破壊されてしまい、不規則な窪みや突起を生成してしまい、そのためにターゲット面の色も完全性を保つことができない。そのためにしょっちゅうこれらの軟質体或いはターゲットセグメント全体を交換する必要があり、その使用寿命は非常に短く、生産者、販売者、使用者すべてにおいて困難をもたらしており、長期的に何度も軟質体或いはターゲットセグメント全体を購入することは、経費、資源の浪費をもたらすだけでなく、さらに金属ダーツ用ダーツボードの販売量と蜂の巣式ダーツボードの販売量との差が開く主要な原因となっている。
４  公知構造のダーツボード枠の表面は全て平面の長い線状のものを具有しており、硬質のダーツチップ或いは金属ダーツチップが命中したとき、飛行、命中角度がターゲット面と垂直でなく、枠に当ってしまった場合、硬質のダーツチップ或いは金属ダーツチップが傷をつけてしまい、ひどい場合には穴が開いてしまい、楽しみを奪うだけでなく、それが原因となって枠が割れてしまうこともある。
【０００３】
【特許文献１】特開２００４−６５９３７号公報
【発明の開示】
【発明が解決しようとする課題】
【０００４】
上記公知構造の欠点を解決するために、本発明の主な目的は、ターゲットセグメント上に柱状体を設け、柱状体の側縁にチップ孔を構成し、柱状体は弾力性により孔径を調整する作用を具有し、異なるサイズ及び異なる材質のダーツチップをスムーズに導入することができ、さらにチップ孔に安定的にダーツチップを挟止させることにより、前述の公知構造の欠点を改善することである。
【課題を解決するための手段】
【０００５】
前記課題を解決するために、
請求項１の発明は、ソフトダーツ及び金属ダーツに使用するダーツボードの構造であり、
そのターゲットセグメントには複数の柱状体が設けられており、前記柱状体の側縁の底部にはチップ孔が設けられており、
前記チップ孔により、ダーツチップは弾性チップ溝を経由して導入され、滑入した後、更に導入、或いは挟止されることを特徴とするソフトダーツ及び金属ダーツに使用するダーツボードの構造である。
【０００６】
請求項２の発明は、前記柱状体の側縁には少なくとも一つの凹縁が設けられており、前記凹縁はダーツチップを挟持、或いは導入する機能を具有する弾性チップ溝を形成することができることを特徴とする請求項１に記載のソフトダーツ及び金属ダーツに使用するダーツボードの構造である。
【０００７】
請求項３の発明は、複数の柱状体と柱状体の間にはこれらを連結する支持片が設けられていることを特徴とする請求項1に記載のソフトダーツ及び金属ダーツに使用するダーツボードの構造である。
【０００８】
請求項４の発明は、ターゲットセグメントの底端には感圧突起が設けられており、それが導電センサスイッチに触れることによりカウント動作することを特徴とする請求項1に記載のソフトダーツ及び金属ダーツに使用するダーツボードの構造である。
【０００９】
請求項５の発明は、ソフトダーツ及び金属ダーツに使用するダーツボードの構造であり、
そのターゲットセグメントには複数の柱状体が設けられており、前記柱状体の側縁の底部にはチップ孔が設けられており、
前記チップ孔により、ダーツチップは弾性チップ溝を経由して導入され、滑入した後、更に導入され、柱状体を具有するターゲットセグメントの後端にはダーツキャッチャーが設けられており、前記ダーツキャッチャーによりダーツチップは挿入、保持され、ダーツチップの保持力を強化させることができることを特徴とするソフトダーツ及び金属ダーツに使用するダーツボードの構造である。
【００１０】
請求項６の発明は、前記ダーツキャッチャーの材質は軟質体であることを特徴とする請求項５に記載のソフトダーツ及び金属ダーツに使用するダーツボードの構造である。
【００１１】
請求項７の発明は、前記ダーツキャッチャーは、直接少なくとも一つのダーツキャッチャー孔を成形することによりダーツチップを挟止することができることを特徴とする請求項５に記載のソフトダーツ及び金属ダーツに使用するダーツボードの構造である。
【００１２】
請求項８の発明は、柱状体を具有するターゲットセグメントの後端面には挿入柱が設けられており、前記挿入柱はダーツキャッチャーに設置され、二者を一体に固定するものであることを特徴とする請求項５に記載のソフトダーツ及び金属ダーツに使用するダーツボードの構造である。
【００１３】
請求項９の発明は、柱状体を具有するターゲットセグメントの後端面には挿入柱が設けられており、前記挿入柱はダーツキャッチャーとターゲットセグメント支持座を挿通して三者を一体に固定するものであることを特徴とする請求項５に記載のソフトダーツ及び金属ダーツに使用するダーツボードの構造である。
【００１４】
請求項１０の発明は、前記ダーツキャッチャーはターゲットセグメント後端面の凹型槽内に設けられていることを特徴とする請求項5に記載のソフトダーツ及び金属ダーツに使用するダーツボードの構造である。
【００１５】
請求項１１の発明は、ダーツキャッチャーの底端には感圧突起が設けられており、それが導電センサスイッチに触れることによりカウント動作することを特徴とする請求項５に記載のソフトダーツ及び金属ダーツに使用するダーツボードの構造である。
【００１６】
請求項１２の発明は、ターゲットセグメント支持座の底端には感圧突起が設けられており、それが導電センサスイッチに触れることによりカウント動作することを特徴とする請求項５に記載のソフトダーツ及び金属ダーツに使用するダーツボードの構造である。
【００１７】
請求項１３の発明は、ターゲットセグメントと枠はお互いに組み合わされて固定されており、この時のターゲットセグメントは固定され滑動することはなく、金属チップとソフトチップを導入することができ、さらにダーツキャッチャーに挿入、固定することを特徴とする請求項１２記載のソフトダーツ及び金属ダーツに使用するダーツボードの構造である。
【発明の効果】
【００１８】
１  ダーツチップが投射されたとき、ダーツボード内の柱状体がダーツチップの大きさによって拡張、縮小し、ダーツチップをスムーズに導入、挟止し、そのために本発明の柱状体は自動計算の正確性を増進させることができるだけではなく、ダーツチップが直接、枠及びターゲットセグメントに激突する回数を減少させ、金属ダーツチップ及びソフトダーツチップの適用範囲を更に増加させ、柱状体に形成された弾性チップ溝の底部には固定式のチップ孔が設けられており、ダーツチップはその弾力チップ溝によってスムーズに導入、挟止され、柱状体がダーツチップの大きさによって瞬時にダーツチップを好適に挟止することによって、ダーツチップは挟止されるのがきつ過ぎもせず、ゆる過ぎもせず、いろいろなサイズやいろいろな材質のダーツチップへの適用性が増進するだけでなく、ダーツチップの使用寿命も延ばすことができ、ダーツチップ及びダーツボードの破損を減少させることができる。
【００１９】
２  柱状体の辺縁に少なくとも一つの凹縁が設けられており、その凹縁がチップ溝を形成しており、弾性チップ溝を形成することができる構造になっており、前記チップ溝によってダーツチップはスムーズに導入或いは挟止され、ダーツチップが比較的太い場合、チップ溝は適度に拡がり、ダーツチップを挟持し、ダーツチップが比較的細い場合もその弾力性によって挟止することができる。
【００２０】
３  柱状体を具有するターゲットセグメントの後端にはダーツキャッチャーが設けられており、前記ダーツキャッチャーにより、ダーツチップは挿入、固定がされ、ダーツキャッチャーは軟質体にすることができ、特に硬質ダーツチップや金属ダーツチップは、柱状体によって導入、修正された後、軟質体に刺さり、前記ダーツチップは弾性チップ溝の好適な位置に挿入されたとき、柱状体が比較的硬い材質のダーツチップによって一瞬に押圧され、位置が移動し、相対的に硬質ダーツチップも好適な力を受け、スムーズにターゲットセグメントのチップ孔内に滑入され、さらに軟質体に刺さり、ターゲットセグメントは安定性を持ってセンサスイッチに触れることができ、ターゲット面、枠の損傷を減少させることができ、更に騒音の発生を減少させることができる。
【００２１】
４  枠の頂端に少なくとも一つの柱状体を設けることができ、前記柱状体の機能は硬質ダーツチップや金属ダーツチップの尖って硬い構造が枠に刺さるとき、ダーツチップはその斜度及び丸みによってスムーズにターゲットセグメント内に滑入、固定され、枠の枠縁が平面であることや角度が急すぎることにより枠の表面が直接破壊されることがなく、傷が付けられるのを防ぐことができ、更に枠の外観の完全性を保つことができ、ダーツチップと枠の破損を減少させることができる。
【発明を実施するための最良の形態】
【００２２】
図１は、本発明を電子ダーツボード本体１０の外環に運用したもので、無得点エリア２０が設けられており、無得点エリア２０の内側にはターゲットセグメント５０を固定する枠３０が設けられている。
【００２３】
図２に示すように、ターゲットセグメント５０の構造において、複数の柱状体５１が設けられており、複数の柱状体５１の間にはチップ孔５２が設けられており、ダーツチップはこれらの柱状体の間に形成される弾性チップ溝によって導入され、柱状体５１の側面から滑入して、さらに正確にチップ孔５２に誘導され、ダーツチップはターゲットセグメント外に弾き出されることはない。
【００２４】
図３に示すように、柱状体５１の表面には少なくとも一つの凹縁５１１を設けることができ、前記凹縁５１１はダーツチップをスムーズにチップ孔５２の孔内に導入する。
【００２５】
図４に示すように、柱状体５１の表面には少なくとも一つの線状溝５１２を設けることができ、前記線状溝の主な機能は、ダーツチップの頭部を導入することであり、それにより柱状体５１の表面はダーツチップの頭部との接触による摩擦、損傷を受けない。本発明の線状溝５１２は線状の突出体にすることもできる。
【００２６】
図５に示すように、複数の柱状体５１と柱状体５１の間には支持片５３が設けられており、支持片５３は柱状体５１の強度を高めるだけでなく、ダーツチップをスムーズにチップ孔に滑入することができる。
【００２７】
図６，７に示すように、ターゲットセグメント５０の構造において、複数の柱状体５１が設けられており、前記柱状体５１上の凹縁５１１によって一つの円形状ガイドを形成しており、円形状ガイドの誘導先はダーツチップを挿入固定するチップ孔５２である。
【００２８】
図８，９に示すように、ターゲットセグメント５０の構造における柱状体５１は、個々に独立したものとするほか、複数を一体として形成することもでき、柱状体５１の凹縁５１１が形成する弾性チップ溝５２１（図９参照）により、ダーツチップはスムーズに底部のチップ孔５２内に導入され、必要なときはダーツチップを挟止する作用も具有する。
【００２９】
以上の構造の長所は、前記柱状体５１は、もともと湾曲できる弾力性及び特有の斜度により、同時に各種のサイズの金属ダーツチップ及びソフトダーツチップに対応することができ、チップ孔５２への導入やチップ孔５２内での保持をし、本発明によるターゲットセグメント５０の特有の構造は、ダーツボード本体１０或いは無得点エリア２０上に適用することができ、前記柱状体５１の形状、サイズ、数量は必要に応じて変更することができ、最も好適な弾力性によりダーツチップの挟止機能を達成することができる。
【００３０】
図１０，１１に示すように、ダーツチップ６０は、枠３０槽内のターゲットセグメント５０のチップ孔内に挿入、保持され、ダーツチップ６０がチップ孔に挿入されるとき、柱状体５１及び弾性チップ溝５２１によって一瞬の間にチップ孔５２内に滑動、導入され、このとき、さらにターゲットセグメント５０を後方に押圧してターゲットセグメント５０の底端に設けられている感圧柱５５は背板７０或いは本体１０背板の間の導電センサシート或いはセンサスイッチ４０に触れ、自動計算機能を達成することができる。
なお、チップ孔５２は貫通孔或いは非貫通孔にすることができる。
【００３１】
図１２に示すように、ターゲットセグメント５０の底端にはダーツキャッチャー５０Ａを設けることができ、前記ダーツキャッチャー５０Ａの構造は、複数のダーツキャッチャー孔５０Ａ１が設けられているものであり、ダーツチップ６０をターゲットセグメント５０のチップ孔５２に貫通、導入させた後、さらにダーツキャッチャー５０Ａのダーツキャッチャー孔５０Ａ１内に挿入、保持するもので、前記ダーツキャッチャー５０Ａは軟質体材質にすることができ、弾力性を持ち、挟止する機能を具有する。
【００３２】
図１３に示すように、ターゲットセグメント５０の底端には、少なくとも一つの挿入柱５１３が設けられており、前記挿入柱５１３はダーツキャッチャー５０Ａの凹溝５０Ａ２内に挿入固定することができ、固定時には接着する方式によりお互いを固定することができ、ダーツキャッチャー５０Ａの下方にも組立てて固定される感圧突起５５Ａを設けることができ、前述の図１０に示したようにスイッチ４０を押圧して、更にこの感圧結果をＣＰＵにより各種の自動計算のゲーム方式で音声、光、音楽、ＬＥＤ、ＬＣＤ、パックライトボードなどよって表示させることができる。
【００３３】
図１４に示すように、ターゲットセグメント５０の本体は凹型槽５００に成形することができ、前記凹型槽５００はダーツキャッチャー５０Ａを側端から挿入固定する。
【００３４】
図１５に示すように、前記ターゲットセグメント支持座５０Ｂの底端には感圧突起５５が設けられており、ダーツキャッチャー５０Ａとターゲットセグメント５０上のチップ孔５２の相対する位置にダーツキャッチャー孔５０Ａ１を設けることができ、このときのダーツキャッチャー孔５０Ａ１は、断面形状を槍状或いは貫通孔或いは溝状の各種の異なる孔形にしてダーツチップ６０に合わせてその挿入、挟止をする。ターゲットセグメント５０の底端は直接少なくとも一つの挿入柱５１３を延長することができ、前記挿入柱５１３はダーツキャッチャー５０Ａを貫通した後、さらにターゲットセグメント支持座５０Ｂの底部を貫通し、ターゲットセグメント５０とダーツキャッチャー５０Ａとターゲットセグメント支持座５０Ｂの三者を緊密に一体に固定することができ、その他に挿入柱５１３はターゲットセグメント支持座５０Ｂの底部部分から突出させることができ、加熱軟化させて片状体５１３Ａに成形してターゲットセグメント支持座５０Ｂの底部に掛止、固定することができ、その固定時には公知の接着する方式により固定することもできる。
【００３５】
図１６に示すように、ターゲットセグメント５０の底端部分は、直接少なくとも一つの挿入柱５１３を延長して形成することができ、前記挿入柱５１３はダーツキャッチャー５０Ａに挿入、固定することができる。挿入柱５１３はダーツキャッチャー５０Ａの底部まで貫通させることができ、挿入柱５１３の突出した部分は加熱軟化させて片状体５１３Ａに成形し、さらにターゲットセグメント支持座５０Ｂの底部に掛止、固定することができ、固定時には接着する方式により固定することができる。ターゲットセグメント５０Ａの下方には感圧突起５５を設けることができ、それがスイッチ４０に触れる。
【００３６】
図１７に示すように、ターゲットセグメント５０の底端は、直接箱型になっており、前記箱型にはダーツキャッチャー５０Ａが設置されており、ターゲットセグメント５０の底端の内側縁には凹溝５０２が設けられており、ターゲットセグメント支持座５０Ｂの凸縁５０Ｂ２を挿入して固定する。
【００３７】
図１８に示すように、ターゲットセグメント５０の側端には枠３０を掛止する掛止突起５０３が設けられており、前記掛止突起５０３は枠３０を固定しており、それによりターゲットセグメント５０と枠３０を一体にする。この掛止構造によりターゲットセグメント５０を固定すると同時に金属ダーツチップ６０Ａとソフトダーツチップ６０Ｂをガイドする。前記金属ダーツチップ６０Ａとソフトダーツチップ６０Ｂはターゲットセグメント５０のチップ孔５２を貫通し、更に後方のダーツキャッチャー上に挿入、固定される。前記ターゲットセグメント５０の柱状体５１の構造と枠３０は相互に固定され、本発明の特殊な構造以外に、掛止、接着、溶接、挟止などの各種の公知の方式によって固定することができ、柱状体５１とチップ孔５２を固定できればいずれでもよい。
【００３８】
図１９に示すように、ターゲットセグメント５０の側端は、直接辺縁５０５を延長することができ、延長された辺縁５０５は導電センサシート４０を押圧することができ、このときのターゲットセグメント５０は固定された状況で、同時に金属ダーツチップ６０Ａとソフトダーツチップ６０Ｂの導入を行い、前記金属ダーツチップ６０Ａとソフトダーツチップ６０Ｂはターゲットセグメント５０のチップ孔５２を貫通し、更に後方のダーツキャッチャー５０Ａ上に挿入、固定される。本構造におけるターゲットセグメント５０とダーツキャッチャー５０Ａは分離して設置される。
【００３９】
図２０に示すように、ターゲットセグメントの側端は、直接辺縁５０５を伸ばすことができ、前記辺縁５０５の最底端は感圧突起５５Ｂまで伸ばすことができ、感圧突起５５Ｂは直接移動し、導電センサシート或いはセンサスイッチ４０に触れることができ、本構造のターゲットセグメント５０とダーツキャッチャー５０Ａはお互いに固定されている。
【００４０】
上述の構造から分かるように、本発明のダーツキャッチャー５０Ａは、軟質体にすることができ、直接断面槍状のチップ孔、溝孔、貫通孔５０Ａ１に成形することによりダーツチップ６０Ａ，６０Ｂの衝撃を弱め、挟止し、さらに、衝撃時に発生する音を弱くすることができる。軟質体の材料は化学繊維を圧縮成形したもの、植物繊維を圧縮成形したもの、藁草、麻、紙材料、植物性材料、化学合成物、ゴム材料、プラスチック、ＰＵ、ＰＶＣ材質などの各種軟質体によって構成することができる。前記ターゲットセグメント５０とダーツキャッチャー５０Ａはお互いに固定され、本発明の特殊な構造以外に、掛止、接着、溶接、挟止などの各種の固定方式を採用することができる。
【００４１】
図２１に示すように、枠３０上には柱状体３１が設けられており、柱状体３１の構造及び特性は、ターゲットセグメント５０の柱状体５１と同様であり、必要に応じてその数量と形状を設計することができ、枠３０の複数の柱状体３１が形成される枠槽３２はターゲットセグメント５０を槽縁或いは槽内に設置することができ、枠３０とターゲットセグメント５０を固定或いは滑動させる機能を生成する。
【００４２】
上記のように本発明の構造は新規性及び進歩性を持つ。
【００４３】
１  ダーツチップが投射されたとき、柱状体がダーツチップの大きさによってそれらの間隔を拡張、縮小して、ダーツチップをスムーズに導入し、挟止し、そのために本発明の柱状体は得点の自動計算の正確性を増進させることができるだけではなく、ダーツチップが直接枠及びターゲットセグメントに激突する回数を減少させ、金属ダーツチップ及びソフトダーツチップの適用性を更に増加させ、柱状体に形成された弾性チップ溝の底部には固定式のチップ孔が設けられており、ダーツチップはその弾力チップ溝によってスムーズに導入、挟止され、柱状体がダーツチップの大きさによって瞬時にダーツチップを好適に挟止することによってダーツチップは挟止されるのがきつ過ぎもせず、ゆる過ぎもせず、いろいろなサイズやいろいろな材質のダーツチップへの適用性が増進するだけでなく、ダーツチップの使用寿命も延ばすことができ、ダーツチップ及びダーツボードの破損を減少させることができる。
【００４４】
２  柱状体の辺縁に少なくとも一つの凹縁が設けられており、その凹縁がチップ溝を形成しており、弾性チップ溝を形成することができる構造になっており、前記チップ溝によってダーツチップはスムーズに導入或いは挟止され、ダーツチップが比較的太い場合、チップ溝は適度に拡がり、ダーツチップを挟持し、ダーツチップが比較的細い場合もその弾力性によって挟止することができる。
【００４５】
３  柱状体を具有するターゲットセグメントの後端にはダーツキャッチャーが設けられており、前記ダーツキャッチャーにより、ダーツチップは挿入、保持され、ダーツキャッチャーは軟質体にすることができ、特に硬質ダーツチップや金属ダーツチップは、柱状体によって導入、ガイドされた後、軟質体に刺さり、前記ダーツチップは弾性チップ溝の好適な位置に挿入されたとき、柱状体が比較的硬い材質のダーツチップによって一瞬に押圧されて変形し、相対的に硬質ダーツチップも好適な力を受け、スムーズにターゲットセグメントのチップ孔内に滑入され、さらに軟質体に刺さり、ターゲットセグメントは安定性を持ってセンサスイッチに触れることができ、ターゲット面、枠の損傷を減少させることができ、更に騒音の発生を減少させることができる。
【００４６】
４  枠の頂端に少なくとも一列の柱状体を設けることができ、前記柱状体の機能は硬質ダーツチップや金属ダーツチップの尖って硬い構造が枠に刺さるとき、ダーツチップはその斜度及び丸みによってスムーズにターゲット内に滑入、保持され、枠の枠縁が平面であることや角度が急すぎることにより枠の表面が直接破壊されることがなく、傷が付けられるのを防ぐことができ、更に枠の外観の完全性を保つことができ、ダーツチップと枠の破損を減少させることができる。
【００４７】
以上の特徴から、本発明は非常に傑出した、優れた設計であることが分かり、未だ公開されておらず実用新案の申請要件に符合し、法に基づき申請をする。
【図面の簡単な説明】
【００４８】
【図１】本発明のダーツボード主体の外観図である。
【図２】本発明のターゲットセグメントの立体図である。
【図３】本発明の柱状体を示す図である。
【図４】本発明の柱状体の第二実施例を示す図である。
【図５】本発明の柱状体の第三実施例を示す図である。
【図６】本発明の柱状体の第四実施例を示す図である。
【図７】本発明のターゲットセグメントの上面図である。
【図８】本発明のターゲットセグメントの第二実施例を示す図である。
【図９】本発明の柱状体の第五実施例を示す図である。
【図１０】本発明のターゲットセグメントの第三実施例を示す図である。
【図１１】本発明のターゲットセグメントの第四実施例を示す図である。
【図１２】本発明のターゲットセグメント及び感圧ターゲットセグメントの分解図          である。
【図１３】本発明のターゲットセグメント及び軟質体の分解図である。
【図１４】図１３の第二実施例である。
【図１５】図１３の第三実施例である。
【図１６】図１３の第四実施例である。
【図１７】図１３の第五実施例である。
【図１８】図１３の第六実施例である。
【図１９】図１３の第七実施例である。
【図２０】図１３の第八実施例である。
【図２１】本発明の枠が柱状体を具有する構造を示す図である。
【符号の説明】
【００４９】
１０      ダーツボード本体
２０      無得点エリア
３０      枠
３１      柱状体
３２      枠槽
４０      導電センサシート、スイッチ
５０      ターゲットセグメント
５０１    掛止突起
５０２    凹溝
５０３    掛止突起
５０５    辺縁
５０Ａ    ダーツキャッチャー
５０Ａ１  ダーツキャッチャー孔
５０Ａ２  凹溝
５０Ｂ    ターゲットセグメント支持座
５０Ｂ１  掛止突起
５０Ｂ２  突縁
５１      柱状体
５１１    凹縁
５１２    線状溝
５１３    挿入柱
５１３Ａ  片状体
５２      チップ孔
５２１    弾性チップ溝
５３      支持片
５５      感圧突起
５５Ａ    感圧突起
５５Ｂ    感圧突起
５００    凹型槽
６０      ダーツチップ
６０Ａ    金属ダーツチップ
６０Ｂ    ソフトダーツチップ
７０      背板
【図１】
2004325066.tif 000003
【図２】
2004325066.tif 000004
【図３】
2004325066.tif 000005
【図４】
2004325066.tif 000006
【図５】
2004325066.tif 000007
【図６】
2004325066.tif 000008
【図７】
2004325066.tif 000009
【図８】
2004325066.tif 000010
【図９】
2004325066.tif 000011
【図１０】
2004325066.tif 000012
【図１１】
2004325066.tif 000013
【図１２】
2004325066.tif 000014
【図１３】
2004325066.tif 000015
【図１４】
2004325066.tif 000016
【図１５】
2004325066.tif 000017
【図１６】
2004325066.tif 000018
【図１７】
2004325066.tif 000019
【図１８】
2004325066.tif 000020
【図１９】
2004325066.tif 000021
【図２０】
2004325066.tif 000022
【図２１】
2004325066.tif 000023